Podtech/llm-jp-corpus-v4-ja_patent huggingface dataset:
(57)【要約】【課題】  歩行時に足指の付け根にあるリンパ腺のツボ（３）を刺激するものとして、足指の下を盛り上げた靴やサンダル・中敷き等があるが、一般的な靴底は平らなものであり、リンパ腺のツボ（３）を刺激できない形状である。【解決手段】  靴底が平らなものでも、クッション材（１）を足指の下のへこんだ部分に装着する方法により、歩くたびに足指の付け根にあるリンパ腺のツボ（３）を刺激することを可能にした。【選択図】図４
2017035427.tif 000002
【特許請求の範囲】
【請求項１】
吸水性のあるクッション材（１）と、前記クッション材（１）からループ状に連続する繊維状のゴム（２）と、を備え、前記繊維状のゴム（２）で足指第二指、第三指、第四指を挟み、前記クッション材（１）を動かないようにし、前記クッション材（１）を足指の下のへこんだ部分に装着し、歩行時に足指の付け根にあるリンパのツボ（３）を押圧する方法。
【発明の詳細な説明】
【技術分野】
【０００１】  本発明は、歩行時に足裏の足指付け根にあるリンパのツボを刺激する方法に関するものである。
【背景技術】
【０００２】  従来の足ツボ健康法として、足の裏全体を歩行時に刺激する靴・中敷き［特許文献１］やサンダル［特許文献２］・靴下等があります。【０００３】  また、歩行時でなく風呂上がり等に使用し、リラックスを得るため足指を広げる足指パッドが市販されています。【０００４】  歩行時に足指の付け根にあるリンパ腺のツボを刺激するものとして、足指の下を膨らませた靴底や中敷き［特許文献３］及び足指の下を盛り上げた靴やサンダルがあります。【０００５】  しかしながら、一般的な靴底は平らなものであり、歩行時にリンパ腺のツボを刺激できない形状である。【０００６】  ［特許文献４］は、私が歩行時に足裏の足指付け根にあるリンパのツボを刺激することが可能な形状を登録したが、複雑な形状であった。
【先行技術文献】
【特許文献】
【０００７】
【特許文献１】特開平９−１０３３０６号公報
【特許文献２】特開２００３−２８４６０１号公報
【特許文献３】実用新案登録第３１１９２９９号公報
【特許文献４】実用新案登録第３１９０１７３号公報
【発明の概要】
【発明が解決しようとする課題】
【０００８】  解決しようとする問題点は、歩行時に平らな靴底だとリンパ腺のツボを刺激できない点である。
【課題を解決するための手段】
【０００９】  足の裏には全身のツボが集中しており、この発明は、足裏の付け根にあるリンパのツボを特定して押圧する方法です。【００１０】  本発明のクッション材（１）を足指の下のへこんだ部分に装着して、歩くたびに足指の付け根にあるリンパ腺のツボ（３）を刺激することを主要な特徴とする。【００１１】  クッション材（１）を装着する時に、ずれないように繊維状のゴム（２）で第二指、第三指、第四指を挟むように装着させる。【００１２】  装着する箇所は汗をかく場所なので、クッション材（１）は吸水性のあるものとする。【００１３】  ［特許文献４］は、複雑な形状であったが、本発明は、クッション材（１）と繊維状のゴム（２）を用いた単純な構造でリンパのツボを刺激する方法である。
【発明の効果】
【００１４】  この発明は、歩行時にクッション材（１）が足指の付け根にあるリンパのツボ（３）を刺激して、免疫機能及び排泄機能を良化させ、老廃物を体外へ排出させ、健康体を維持させます。
免疫機能が高まると病気にかかりにくくなり、インフルエンザや風邪、糖尿病、ガンなどを予防することにつながります。
排泄機能が高まると老廃物を体外へ排出させ、余分な水分も体外へ排出させるため、足のむくみ・足首の疲れが無くなります。
【図面の簡単な説明】
【００１５】
【図１】クッション材を装着した時のＡ−Ａ断面図
【図２】クッション材を装着した時の足上面図
【図３】クッション材を装着した時の足裏図
【図４】クッション材を装着した時の足側面図
【発明を実施するための形態】
【００１６】  以下、本発明の実施の形態を図に基づいて説明する。
【実施例】
【００１７】  図１は、吸水性のあるクッション材を装着した時の断面図です。下部がクッション材（１）でその上部に第二指、第三指、第四指を挟む繊維状のゴム（２）でループさせます。【００１８】  図２は、クッション材を装着した時の足上面図です。クッション材（１）は、足裏に装着するので周りの人からは見えません。繊維状のゴム（２）で挟む部分も目立たないように着色し、足指が透けて見えるソックスを履く女性が身に着けやすいようにします。【００１９】  図３は、クッション材を装着した時の足裏図です。繊維状のゴム（２）で第二指、第三指、第四指を挟み、クッション材（１）を足指の下のくぼみに装着する。リンパ腺のツボ（３）は、第二指から第四指の付け根にあり、そのツボを歩く度に刺激する。【００２０】  図４は、クッション材を装着した時の足側面図です。クッション材（１）を足指の下のくぼみに装着させた図です。足指の付け根にリンパ腺のツボ（３）が存在します。
【産業上の利用可能性】
【００２１】  このクッション材は、営業マンのように毎日歩く人や立ち仕事の人には、必要不可欠なものになってくるでしょう。排泄機能が高まりますから体内の余分な水分が除去され、足のむくみ・足首の疲れがなくなってきます。免疫機能が良化され、病気にかかりにくくなり、インフルエンザや風邪、糖尿病、ガンなどを予防することにつながります。
装着場所が汗をかく所であり、素材が吸水性を持つので水虫対策にもなります。
【符号の説明】
【００２２】１  吸水性のあるクッション材
２  繊維状のゴム
３  リンパ腺のツボ
４  第一指
５  第二指
６  第三指
７  第四指
８  第五指
【図１】
2017035427.tif 000003
【図２】
2017035427.tif 000004
【図３】
2017035427.tif 000005
【図４】
2017035427.tif 000006
(57)【要約】【課題】この発明により、内果皮もむき易く、手が汚れ難い皮むきハサミを提供することができる。【解決手段】  果物の皮をむく皮むきハサミであって、この皮むきハサミ１０は、一対のハサミ体を有するハサミと、このハサミ体の一方の先端に設けられた刃部とから構成され、このハサミ体は対になって湾曲し、この刃部はハサミ体の先端に第一の刃部２１と、これに隣接する第二の刃部２２とを有していることを特徴とする皮むきハサミであり、ハサミ体が湾曲しているので内果皮をうまく切り取ることができる。【選択図】図１
2017035421.tif 000002
【特許請求の範囲】
【請求項１】
果物の皮をむく皮むきハサミであって、この皮むきハサミは、一対のハサミ体を有するハサミと、このハサミ体の一方の先端に設けられた刃部とから構成され、このハサミ体は対になって湾曲し、この刃部はハサミ体の先端に第一の刃部と、これに隣接する第二の刃部とを有していることを特徴とする皮むきハサミ。
【請求項２】
請求項１の第一の刃部は内側に湾曲した刃と、この刃の先端側に隣接する第一の丸みを備えたことを特徴とする皮むきハサミ。
【請求項３】
請求項１又は請求項２の皮むきハサミの第二の刃部は、ハサミの根本側に向いた刃と、この刃の先端に第二の丸みを備えたことを特徴とする皮むきハサミ。
【請求項４】
請求項１乃至請求項３の何れかの皮むきハサミの第一の丸みを種取りヘラとしたことを特徴とする皮むきハサミ。
【発明の詳細な説明】
【技術分野】
【０００１】  この発明は、柑橘類等の厚肉の皮を有する果物の皮をむく皮むきハサミに関する。
【背景技術】
【０００２】  従来、夏みかん等の厚肉の皮をむく際は、素手では向き難いので果物ナイフを使って皮に放射状の切れ目をいれて指で皮を引き裂くようにむいていた。しかしながら、この方法では、中袋まで切れ込みを入れてしまったり、逆に切れ込み深さが不十分でであったりしていた。また、この時、果物のネバネバした汁が手に着いて、気持ちが悪かった。
【先行技術文献】
【特許文献】
【０００３】
【特許文献１】実開平２−４５１７
【特許文献２】特開２０００−１３９８６８８
【特許文献３】特開２００３−９３２２４
【発明の概要】
【発明が解決しようとする課題】
【０００４】  特許文献１の皮むき具は三角形の刃で皮に切れ目を入れて、へらにより外果皮をむいていくものであるが、内果皮をむくことはできず、これによっても手が汚れやすいという問題は解決されていなかった。【０００５】  特許文献２の皮むき具は、ヘタの部分を円形にくり抜いて外果皮をむき易くし、内果皮カッターを設けているが、手が汚れ易いという問題は解決されていなかった。
特許文献３の皮むき具も、ヘタの部分をくり抜いて外果皮をむき易くしたものであるが、同様に手が汚れ易いという問題は解決されていなかった。
【課題を解決するための手段】
【０００６】  果物の皮をむく皮むきハサミであって、この皮むきハサミは、一対のハサミ体を有するハサミと、このハサミ体の一方の先端に設けられた刃部とから構成され、このハサミ体は対になって湾曲し、この刃部はハサミ体の先端に第一の刃部と、これに隣接する第二の刃部とを有していることを特徴とする皮むきハサミである。
【発明の効果】
【０００７】  この発明により上記の問題点を解決し、内果皮もむき易く、手が汚れ難い皮むきハサミを提供することができる。
【図面の簡単な説明】
【０００８】
【図１】第一の実施例の皮むきハサミの開いた状態を示す平面図である。
【図２】第一の実施例の皮むきハサミの閉じた状態を示す平面図である。
【図３】第一の実施例の皮むきハサミを図２のＡ方向から見た背面図である。
【図４】第一の実施例の皮むきハサミでみかんのヘタをくり抜く方法を示す斜視図である。
【図５】第一の実施例の皮むきハサミで内果皮を切る方法を示す斜視図である。
【発明を実施するための形態】
【０００９】  果物の皮をむく皮むきハサミであって、この皮むきハサミは、一対のハサミ体を有するハサミと、このハサミ体の一方の先端に設けられた刃部とから構成され、このハサミ体は対になって湾曲し、この刃部はハサミ体の先端に第一の刃部と、これに隣接する第二の刃部とを有していることを特徴とする皮むきハサミである。
【００１０】  上記の刃部は内側に湾曲した刃と、この刃の先端側に隣接する第一の丸みを備えたことを特徴とする皮むきハサミである。
上記の皮むきハサミの第二の刃部は、ハサミの根本側に向いた刃と、この刃の先端に第二の丸みを備えたことを特徴とする皮むきハサミである
上記の何れかの皮むきハサミの第一の丸みを種取りヘラとしたことを特徴とする皮むきハサミである。
【実施例】
【００１１】  図１、図２、図３により第一の実施例を説明する。この皮むきハサミ１０は、一対のハサミ体２０、３０を有するハサミと、このハサミ体２０，３０の一方であるハサミ体２０の先端に設けられた刃部２７とから構成されている。ハサミ体２０，３０は軸４０を中心に回動可能であり、このハサミ体２０，３０は対になって湾曲している。【００１２】  ハサミ体２０の先端に第一の刃部２１と、これに隣接する第二の刃部２２とを有している。第一の刃部２１は内側に湾曲した刃と、その先端側に隣接する第一の丸み２５を備えている。第二の刃部２２は、第一の刃部２１に隣接してハサミ体２０の根本側に向いた刃と、この刃の先端に第二の丸み２６を備えている。【００１３】  ハサミ体２０、３０のハサミの刃２３、３３は対になって湾曲している。曲率半径は１５０ｍｍから２００ｍｍが好ましい。
ハサミ体２０、３０はそれぞれ硬質のステンレス、セラミック等で製造するのが腐食が少なく好ましいが、他の鋼材でもよい。【００１４】  図４により、ミカンのヘタの取り方を説明する。皮むきハサミ１０を閉じて、先端をミカン５０のヘタの近傍に差し込んで第一の刃部２１で円形に切って切り抜く。先端に第一の丸み２５を持たせているので安全であり、第一の丸み２５の部分で種を取る種取りとしても使用できる。円形の穴が開いたら、そこから第二の刃部２２により、皮を放射状に切って、丸み２５を外果皮と内果皮の間に差し込んで、外果皮を剥いでいく。【００１５】  外果皮が剥けると、図５のように、湾曲したハサミ体２０、３０により内果皮の湾曲部を切り取ることができる。
【産業上の利用可能性】
【００１６】  この発明の皮むきハサミは、柑橘類だけでなく他の果物でも利用可能である。
【符号の説明】
【００１７】１０は皮むきハサミ
２０はハサミ体
２１は第一の刃部
２２は第二の刃部
２３はハサミの刃
２５は第一の丸み
２６は第二の丸み
２７は刃部
３０はハサミ体
３３はハサミの刃
４０は軸
５０は果物
５１はヘタ
【図１】
2017035421.tif 000003
【図２】
2017035421.tif 000004
【図３】
2017035421.tif 000005
【図４】
2017035421.tif 000006
【図５】
2017035421.tif 000007
(57)【要約】      （修正有）【課題】瞬時に装着することができるＥＤ（勃起不全）の補助具を提供する。【解決手段】ペニスケース４に吸引口５を設ける。吸引器６で緩衝材３を吸い込み、コンドームなどをかぶせ吸引口５を塞ぎ固定する。吸引用の穴を設置し、その穴から吸引機（注射器など）で吸い込むことにより瞬時に装着することができる。また、吸引装着の後、穴を塞ぐことでペニスケース内を真空状態にすることによりしっかり固定することができる。【選択図】図１
2017035424.tif 000002
【特許請求の範囲】
【請求項１】
亀頭部に吸引口を設けたことを特徴とするペニスケース。
【請求項２】
吸引口を塞ぐことでペニスケース内を真空状態にしペニスとの固定を容易にしたペニスケース。
【発明の詳細な説明】
【技術分野】
【０００１】本発明は、ＥＤ（勃起不全）等の補助具に関するものである。
【背景技術】
【０００２】これまでも勃起不全用の補助具はあった。しかし装着が困難で難しいものばかりだった。
【先行技術文献】
【特許文献】
【０００３】
【特許文献１】特開平５−１０３８０５号公報
【特許文献２】特開２００５−５２５５８号公報
【発明の概要】
【発明が解決しようとする課題】
【０００４】しかしながら、以上の補助具では装着に時間が掛かったり、ぴったり固定するものが無かった。そこで、本発明は簡単に装着ができるペニスケースを提供することを課題とする。
【課題を解決するための手段】
【０００５】以上の課題を解決するために、第一発明は、吸引用の穴を設置し、その穴から吸引機（注射器など）で吸い込むことにより瞬時に装着することができることを特徴とするペニスケースである。また、第二発明は、吸引装着の後、穴を塞ぐことでペニスケース内を真空状態にすることによりしっかり固定することができることを特徴とするペニスケースである。
【発明の効果】
【０００６】第一発明、第二発明よれば、ペニスケースに装着の為の吸引口を設けたので簡単に装着できる。また、装着後コンドームなどで吸引口を塞ぐことで簡単に固定できる。
【図面の簡単な説明】
【０００７】
【図１】この発明の一実施形態を示す斜視図である。
【発明を実施するための形態】
【０００８】この発明の一実地形態を、図１に示す。
ペニス１に緩衝材３を装着し、ローションなどの潤滑材２を表面に塗る。吸引口５から吸引器６で吸引しペニスケース４にコンドームなどをかぶせ吸引口５を塞ぎ固定する。
【符号の説明】
【０００９】１  ペニス  ２  潤滑材  ３  緩衝材  ４  ペニスケース  ５  吸引口  ６  吸引器
【図１】
2017035424.tif 000003
(57)【要約】      （修正有）【課題】靴の踵がすり減ってしまう、又は、変形してしまう事を防ぐ為に、踵にネジを取り付けて補強した物を提供する。【解決手段】靴の踵１の部分に円形の小段２を二つ設けネジ３を左右２カ所ねじ込む。また、踵１の素材に弾力性がある場合、ネジ３をねじ込む部分にだけ硬質のゴム素材を使ってネジ３が簡単に抜けないように補強をする。応用として、ネジ３をねじ込むためのフランジ付き雌ネジをあらかじめ埋め込んで置くこともできる。【選択図】図１
2017035429.tif 000002
【特許請求の範囲】
【請求項１】
靴の踵（１）の部分に円形の小段（２）を二つ設けネジ（３）を左右２カ所にねじ込んだ踵補強ネジ付きの靴。ネジの頭がすり減ったら、プライヤで挟み回して取り外し新しいネジを取り付ける。
【請求項２】
靴の踵（４）の部分に穴を左右に２つ開け（５）上部に小段を設けた筒状の硬質ゴム（６）をそれぞれ埋込で接着する。小段の付いた硬質ゴムの中央にネジ（７）をねじ込み、踵の補強に当てる。ネジの頭がすり減ったら、プライヤで挟み回して取り外し、新しいネジを取り付ける。
【請求項３】
靴の踵（８）の部分にフランジ付きの雌ネジ（９）を埋込、ネジ（１０）をねじ込んで踵の補強をする。ネジの頭がすり減ったら、プライヤで挟み回して取り外し、新しいネジを取り付ける。
【発明の詳細な説明】
【技術分野】
【０００１】この発明は、靴の踵のすり減りを防ぎ、靴の寿命を延ばものである。
【背景技術】
【０００２】  従来の靴の踵は、使用をしているうちに斜めにすり減ったりして、見栄えも悪くまた靴の持ちも悪くなる傾向にある。革靴の硬い踵にプレート状の金具を釘で打ち付けて使用するものは有りましたが、雨が降った場合、滑ってしまい危険であった。また、ウレタン、ポリウレタン樹脂を使った踵補強板を瞬間接着剤または、両面テープと釘を使って止める物もある。しかし、どれも持ちが悪く、張り替えがめんどうである。
【先行技術文献】
【特許文献】
【０００３】
【特許文献１】  特開平９−２２４７０４
【特許文献２】  特開２００４−２１５８３９（Ｐ２００４‐２１５８３９Ａ）
【特許文献３】  実登３１１４５１４
【特許文献４】  実登３１０１０９８
【発明の概要】
【発明が解決しようとする課題】
【０００４】（イ）靴の踵はすり減って片減りなどで斜めに変形をしてしまっていた。
（ロ）踵補強の金属のプレートタイプの金物は釘で取り付けていたので硬い踵にしか取り付けられない。
（ハ）また、金属のプレートタイプの物は、雨などで濡れている場合には、滑って危険であった。
（二）踵そのものが取り替え可能なアイデアも有ったが、全体を取り替える物だと金額も上がり、経済的ではない。
（ホ）踵の底の一部を回転する構造にして、すり減ったら回転させて新しい面が後部になるようにして、繰り返し使えるようにしたアイデアもある。この場合も金額が上がり不経済です。また、踵が２重になっているように見えて、デザイン的にあまりよいとはいえない。
（ヘ）ウレタン、ポリウレタン樹脂のプレートを貼り付けるタイプの物もあるが、持ちが悪い。
本発明は、以上のような欠点をなくす為になされたものである。
【課題を解決するための手段】
【０００５】  靴の踵（１）の部分に円形の小段（２）を二つ設けネジ（３）を左右２カ所直接又は、埋め込んフランジ上の雌ネジにねじ込む。ねじ込んだネジの頭に磨耗の負担をさせて、ネジの頭がすり減ったらネジを新しい物に取り替えることによって機能させる方法である。ねじは汎用品なので非常に安価です。
【発明の効果】
【０００６】（ア）踵に硬いネジが、ねじ込んである事によって靴本体の踵は保護され、ネジの頭だけが磨耗をする。
（イ）ネジが磨耗したら新しいネジに取り替えるだけで機能が復活し踵は常に保護された状態になる。
（ウ）磨耗したネジは、プライヤで挟み込んで回せば外せ、新しいネジはドライバーを使って簡単にねじ込める。
【図面の簡単な説明】
【０００７】
【図１】請求項１を示した図、靴の踵に円形の小段を設けネジをねじ込んだ物で、その全体斜視図とネジをねじ込んだ部分の断面図を示す。
【図２】請求項２を示した図、靴の踵に円形の小段付きの円柱型の硬質ゴムを埋め込み、その部分にネジをねじ込んだ全体斜視図と、ネジをねじ込んだ部分の断面図を示す。
【図３】請求項３を示した図、靴の踵にフランジ付きの雌ネジを埋め込んで、それにネジをねじ込んだ全体斜視図と、ネジをねじ込んだ部分の断面図を示す。
【発明を実施するための形態】
【０００８】  以下、本発明を実施するための形態について説明する。
靴の踵（１）の部分に円形の小段（２）を二つ設けネジ（３）を左右２カ所ねじ込む。また、踵の素材に弾力性がある場合、ネジをねじ込む部分にだけ硬質のゴム素材（４）を使ってネジをねじ込み、ネジが簡単に抜けないように補強をする。
応用として、ネジをねじ込むためのフランジ付き雌ネジ（８）をあらかじめ埋め込んで置き、それにネジをねじ込むこともできる。
【符号の説明】
【０００９】  １  靴の踵
２  円形の小段
３  ネジ
４  靴の踵
５  円柱形の穴
６  円形小段付きの円柱形の硬質ゴム
７  ネジ
８  靴の踵
９  フランジ付き雌ネジ
１０  ネジ
【図１】
2017035429.tif 000003
【図２】
2017035429.tif 000004
【図３】
2017035429.tif 000005
(57)【要約】【課題】この発明は、男性が使用する場合、ズレや外れを防止できるズレ防止機構付き男女兼用の尿取りパットを提供する。【解決手段】一般的サイズの接着面（Ａ）（Ｂ）（Ｃ）１辺の長い接着面（Ｄ）固定テープ（４）複数線のミシン目（５）を設けた一辺の長い防水シート（１）と一般的サイズの接着面（Ａ）（Ｂ）（Ｃ）長い接着面（Ｄ）複数線のミシン目（５）ギャザー（６）を設けた１辺の長い通水シート（２）で尿吸収ポリマー（３）を挟み接着することを特徴とする。【選択図】図１
2017035417.tif 000002
【特許請求の範囲】
【請求項１】
一般的サイズの接着面（Ａ）（Ｂ）（Ｃ）長い接着面（Ｄ）固定テープ（４）複数線のミシン目（５）を設けた一辺の長い防水シート（１）と一般的サイズの接着面（Ａ）（Ｂ）（Ｃ）長い接着面（Ｄ）複数線のミシン目（５）ギャザー（６）を設けた１辺の長い通水シート（２）で尿吸収ポリマー（３）を挟み接着することを特徴とするズレ防止機構付き男女兼用の尿取りパット。
【発明の詳細な説明】
【技術分野】
【０００１】この発明は、男性が使用する場合、ズレや外れを防ぎ、尿漏れを軽減できるズレ防止機構付き男女兼用の尿取りパットに関するものである。
【背景技術】
【０００２】従来の男性が使用する  ズレ防止機構付き尿取りパットは、男性性器を固定する部分が横一本のスリットであり、パットを横向きに使用するようになっていた。
【先行技術文献】
【特許文献】
【０００３】
【特許文献１】特開２００１−３１４４３４
【特許文献２】実登３１５９７８３
【発明の概要】
【発明が解決しようとする課題】
【０００４】これは、次のような欠点があった。
従来の男性が使用するズレ防止機構付き尿取りパットは、固定部が長手方向に一本のスリットで、そのスリットは長さの調整ができず、固定バンド部の幅が薄く締りが少ないため男性性器をきちんと保持出来なく、さらに横向きに使用して、立体的に折り円錐形を作り男性性器に被せて使用する男性専用となっている。
【課題を解決するための手段】
【０００５】一般的サイズの接着面（Ａ）（Ｂ）（Ｃ）長い接着面（Ｄ）固定テープ（４）複数線のミシン目（５）を設けた一辺の長い防水シート（１）と一般的サイズの接着面（Ａ）（Ｂ）（Ｃ）長い接着面（Ｄ）複数線のミシン目（５）ギャザー（６）を設けた１辺の長い通水シート（２）で尿吸収ポリマー（３）を挟み接着する。
本発明は、以上の構成よりなるズレ防止機構付き男女兼用の尿取りパットである。
【発明の効果】
【０００６】他のパット同様に縦に使用するので平面的な使用、立体的な使用ができ、男性性器固定部が男性性器のサイズにより複数線のミシン目をサイズにあった穴を開けて調整できるので、抜けにくく、パットと男性性器の位置関係が保たれるので、向き、動き等に追従し、ズレや外れを防ぎ尿漏れを軽減でき、一辺の接着面が長いだけで一般のパットと同じ構造にできるので男女兼用が可能である。
【図面の簡単な説明】
【０００７】
【図１】本発明の分解斜視図である。
【図２】（５）複数線ミシン目一例の斜視図である。
【発明を実施するための形態】
【０００８】以下、本発明を実施するための形態について説明する。
一般的サイズの接着面（Ａ）（Ｂ）（Ｃ）長い接着面（Ｄ）固定テープ（４）複数線のミシン目（５）を設けた一辺の長い防水シート（１）と一般的サイズの接着面（Ａ）（Ｂ）（Ｃ）長い接着面（Ｄ）複数線のミシン目（５）ギャザー（６）を持設けた１辺の長い通水シート（２）で尿吸収ポリマー（３）を挟み接着する。
本発明は以上のような構造である。
これを使用する時は、男性性器のサイズに合わせて複数のミシン目（５）をサイズにあった穴を開け、男性性器を通して固定し、平面に覆い被せ固定テープ（４）で下着に固定するか、立体に折り円錐形を作り固定テープ（４）で固定して被せて使用する。
そうすると、性器の大きさ、向き、動きに関わらずズレや外れを防ぎ尿漏れを軽減できる。
【符号の説明】
【０００９】（１）１辺の長い防水シート
（２）１辺の長い通水シート
（３）尿吸収ポリマー
（４）固定テープ
（５）複数線のミシン目
（６）ギャザー
（Ａ）一般的サイズの接着面
（Ｂ）一般的サイズの接着面
（Ｃ）一般的サイズの接着面
（Ｄ）長い接着面
【図１】
2017035417.tif 000003
【図２】
2017035417.tif 000004
(57)【要約】【課題】  本発明は、足の爪を切るとき、前屈みになる体勢を楽にするように工夫した爪切りである。【解決の手段】  爪切りの本体を形成する下刃側部（１）、本体を形成する上刃側部（２）を軸（５）より交差させ、本体を形成する下刃側部（１）、本体を形成する上刃側部（２）の間に押しバネ（６）を設け、本体を形成する下刃側部（１）に握り部（７）を設け、本体を形成する上刃側部（２）に握り部（７）を設け、本体を形成する下刃側部（１）の一端に爪切りの上刃（３）、本体を形成する上刃側部（２）の一端に爪切りの上刃（４）を設け、爪切りの下刃（３）と上刃（４）との間に空間部（８）を設けたことを特徴とする爪切り。【選択図】図１
2017035418.tif 000002
【特許請求の範囲】
【請求項１】
爪切りの本体を形成する下刃側部（１）、本体を形成する上刃側部（２）を軸（５）より交差させ、本体を形成する下刃側部（１）、本体を形成する上刃側部（２）の間に押しバネ（６）を設け、本体を形成する下刃側部（１）に握り部（７）を設け、本体を形成する上刃側部（２）に握り部（７）を設け、本体を形成する下刃側部（１）の一端に爪切りの上刃（３）、本体を形成する上刃側部（２）の一端に爪切りの上刃（４）を設け、爪切りの下刃（３）と上刃（４）との間に空間部（８）を設けたことを特徴とする爪切り。
【発明の詳細な説明】
【技術分野】
【０００１】  本発明は、引いて足の爪を切る爪切りに関するものである。
爪切り本体となる２つの形体をＸ印形に交差させたもので、交差軸から爪切り刃の間に空間を設けることにより、足指の上から膝方向に刃を当て、爪切りを引いて爪を切ることを可能にし、足の爪を切るとき前屈みになる度合を軽くした、引いて足の爪を切る爪切りに関するものである。
【背景技術】
【０００２】  爪切り本体となる２つの形体をＸ印形に交差させ交差軸より爪切り刃との間に空間部を設けることにより爪切りを引いて爪を切ることを可能にしたものである。
爪きりの上刃と上刃押さえ板の前方部分から上刃押さえ押圧操作板の支点までの間に切ろうとする爪の部分が目視できる窓を設け安全確実に安心して爪を切ることができる爪切り器（特許文献１参照）。
【先行技術文献】
【特許文献】
【０００３】
【特許文献１】  特開２００６−７５５５０号公報
【発明の概要】
【発明が解決しようとする課題】
【０００４】  そのために次のような問題点があった。
従来の爪切りは、足の爪を切るとき、爪切り刃を爪の前方より膝方向に押して切るため、かなり前屈みにならなければならず、腰の悪い人がお年寄りにはかなり苦痛となった。
このとき、爪を切る体勢を逆にすること、つまり、爪切り刃を膝方向に引くことにより楽な体勢で爪を切るためになされたものである。
【課題を解決するための手段】
【０００５】  爪切りの本体を形成する下刃側部（１）、本体を形成する上刃側部（２）を軸（５）より交差させ、本体を形成する下刃側部（１）、本体を形成する上刃側部（２）の間に押しバネ（６）を設け、本体を形成する下刃側部（１）に握り部（７）を設け、本体を形成する上刃側部（２）に握り部（７）を設け、本体を形成する下刃側部（１）の一端に爪切りの上刃（３）、本体を形成する上刃側部（２）の一端に爪切りの上刃（４）を設け、爪切りの下刃（３）と上刃（４）との間に空間部（８）を設けたことを特徴とする爪切り。
【発明の効果】
【０００６】  本発明は、爪切り刃を膝方向に引いて足の爪に当て、楽な体勢で爪を切ることができるようにした爪切りである。
本体を形成する下刃側部と本体を形成する上刃側部を軸により交差させ、軸と爪切り刃の間に空間を設けることにより、従来の爪切りの前屈みになって爪切りを膝方向に押して爪を切る体勢を逆にして爪切りを膝方向に引いて爪を切るようにし前屈みになる体勢を著しく楽にした足指の爪切り。
【図面の簡単な説明】
【０００７】
【図１】  本発明の側面図である。
【図２】  本発明の平面図である。
【図３】  本発明となるそれぞれ２体の傾視図である。
【発明を実施するための形態】
以下、本発明の実施の形態について説明する。
爪切りの本体を形成する下刃側部（１）、本体を形成する上刃側部（２）を軸（５）より交差させ、本体を形成する下刃側部（１）、本体を形成する上刃側部（２）の間に押しバネ（６）を設け、本体を形成する下刃側部（１）に握り部（７）を設け、本体を形成する上刃側部（２）に握り部（７）を設け、本体を形成する下刃側部（１）の一端に爪切りの上刃（３）、本体を形成する上刃側部（２）の一端に爪切りの上刃（４）を設け、爪切りの下刃（３）と上刃（４）との間に空間部（８）を設けたことを特徴とする爪切り。
図１の本体を形成する下刃側部となる形状と本体を形成する上刃側部の交差した爪切りが、指の上前方から膝方向に引いて爪切り刃をくいこませにぎり部をにぎり下刃と上刃をかみ合わせ爪を切ることができる。
握り部を動かす範囲は、運動を示す矢印（９）の範囲である。
このとき、爪切りは足指の上に位置することが条件となる。
本体を形成する刃を膝方向に引いて爪にくいこませ、本体を形成する上刃側部の刃と共に、本体のにぎり部をにぎり、爪を切る。
このとき、下刃を爪にくいこませるためには軸より下刃の間に、空間を設けることが不可欠となる。
以上のことにより、従来の前屈みになって押して、爪を体勢と逆にして爪切りを引いて爪を切ることにより体勢が非常に楽になることを可能にした爪切りの発明である。
【符号の説明】
【０００８】    １  本体を形成する下刃側部
２  本体を形成する上刃側部
３  上刃
４  下刃
５  軸
６  押しバネ
７  にぎり部
８  空間部
９  運動を示す矢印
【図１】
2017035418.tif 000003
【図２】
2017035418.tif 000004
【図３】
2017035418.tif 000005
(57)【要約】      （修正有）【課題】リバーシゲームにおいて駒形状を工夫することにより、解り易いルールを維持しながらも、興趣性が高まり競技内容に深みが増すゲーム用駒セットを提供する。【解決手段】リバーシゲームにおける駒形状を表裏の色に加え、縦横斜めの八方面のうち相手駒の指し手３を無効とする方向に印（ブロック）を付ける。【選択図】図３
2017035415.tif 000002
【特許請求の範囲】
【請求項１】
リバーシゲームにおける、プレイヤー同志が相対する対局、またはゲーム機やインターネットを介して対局する、或いはそのゲームソフトと対局する場合のゲームに使用する駒について、相手駒の指し手を無効とする方向面を設定する事。
【請求項２】
相手の指し手を無効とする駒について、駒の形状や無効とする方向数の設定を多様化させ、その駒それぞれの特性を活かしたゲーム采配を各プレイヤーにさせ、ゲーム進行に複雑性と采配性を与え、ゲームの娯楽性を高める事。
【発明の詳細な説明】
【技術分野】
【０００１】  本発明は、オセロ（登録商標）やリバーシに代表される盤上駒挟み型ゲーム（以下「リバーシゲーム」と記す）における駒セットに関し、プレイヤー同志が直に相対する対局の他、ゲーム機やインターネットを介して対局する、或いはそのゲームソフトと対局する場合も含め、そのリバーシゲームに使用される駒セットに関する。
【背景技術】
【０００２】  リバーシゲームは、一般的に表裏が白黒２色の円柱形駒を、縦８コマ×横８コマの６４枡目内の盤上で、自分の色の駒同士で相手の駒を挟んで自分の色に反転させる事を攻守順次繰り返すというルールにおいて、最終的な駒の色の多さを競うゲームである。【０００３】  しかし、囲碁・将棋等と比較すると、極めて単純なルールなために老若男女を問わず幅広く競技される一方、競技内容の深みに欠けるという側面があった。
【発明の概要】
【発明が解決しようとする課題】
【０００４】  本発明の目的は、リバーシゲームの単純で解り易いルールを維持しながらも、興趣性を高める事ができる駒セットの提供にある。
【課題を解決するための手段】
【０００５】  リバーシゲームは、任意の相手駒に対して自分は縦横斜めの八方から駒を指すことが出来るが、本発明はその八方のうち、相手が指しても挟みが無効となる方向を駒に設定し、ゲームを進める事を特徴とする。【０００６】  本発明においてはこれを視覚的に解り易くするため、例としてリバーシゲームにおいては円柱形であるゲーム駒を八角柱形（１）とし、表裏の色（例えば白黒）に加えて縦横斜めを示す八方面のうち、相手駒の指し手を無効とする方向に印（例えば丸印）を付ける（２）事とする。以下説明の便宜上、この八角柱形駒の名称を「オクタゴン」といい、相手駒の指し手を無効とする面を「ブロック」という。
→図１参照。
【図面の簡単な説明】
【０００７】
【図１】図１は本発明の駒の概念図であり、八方を示す駒（オクタゴン）の正面図、平面図、側面図、底面図である。
【図２】図２は本発明の駒のゲームルール上の役割（ブロック）を示す概念図である。
【図３】図３は本発明の駒を使った進行ゲームルールを示す概念図である。
【図４】図４は本発明の駒の概念に基づく駒のデザイン形状サンプル例である。
【発明を実施するための形態】
【０００８】  以下、本発明を実施するための形態について説明する。
【０００９】  本発明においてのゲーム駒は、表裏の色（例えば白黒）に加えて縦横斜めを示す八方面のうち相手駒の指し手を無効とする方向に印（例えば丸印）を付ける事とする。以下説明の便宜上この駒の名称を「オクタゴン」（１）といい、相手駒の指し手を無効とする方向面を「ブロック」（２）という。
→図１参照。
【００１０】  本発明のゲームルールは、リバーシゲームに準じて進行する。指し手となるオクタゴンは、相手駒のブロックが向いている以外の方向から駒を挟まないと、有効に相手駒を反転させる事が出来ない。
→図２参照。
【００１１】  指し手は相手駒に指されたくない方向をブロックしながら指す事ができる。合わせて、指し手で挟んで反転させたオクタゴンも、同様に相手駒に指されたくない方向をブロックしてよい。これらを攻守繰り返してゲームは進行する。
→図３参照。
【００１２】  この様に攻守を繰り返したのち、相手駒を反転できる指し手が無くなった場合はパスとなり、指し手が出来るまで相手は続けて駒を指すことが出来る。互いに相手駒を反転できる指し手が無くなった時点、または盤上が全て駒で埋まった場合にゲームは終了し、盤上に有る駒の多い方が勝者となる。
【００１３】  なお本発明の趣旨は相手駒の指し手を制限できる駒の提供にあり、説明において例示した駒の形状や色、指し手を制限する印の表示方法や制限方向数は、サンプル例で示す通り任意に設定できるものとする。
→図４参照。
【００１４】  駒の形状応用例として、正方形柱（スクエア）駒の場合は、四角い枡の中で向きに対する自由度が、八角柱駒（オクタゴン）と比較して半減される事とすれば、縦横方向のみ又は斜め方向のみの駒制限を活用したゲーム進行を設定する事も可能となる。
→図４参照。
【符号の説明】
【００１５】（１）ゲーム駒の形状（オクタゴン）
（２）ゲーム駒の相手駒の挟みを無効とする防御面（ブロック）
（３）指し手は次の相手に攻撃されたくない面をブロックできる
（４）反転駒も次の相手に攻撃されたくない面をブロックできる
本発明によるゲーム進行は、攻撃と同時に防御ができることに特徴がある。
（５）駒のサンプル例を示す
本発明の目的は、相手駒の挟みを無効とする面を示した駒によるゲーム進行の提供    にある。駒の形状や色、挟みを無効にする方向や数は任意に設定でき、本発明趣旨に    含まれる。
【図１】
2017035415.tif 000003
【図２】
2017035415.tif 000004
【図３】
2017035415.tif 000005
【図４】
2017035415.tif 000006
(57)【要約】【課題】  球を拾い上げる時、腰や膝に負担なく、水濡れ、泥、砂、汚れ時のトラブル解消に提供する。【解決手段】  半月状の球収納部（１）帯状のマジックテープ付グリップ装着部（２）付けたクラブ一体型の球拾い上げを特徴とする。【選択図】図２
2017035419.tif 000002
【特許請求の範囲】
【請求項１】
グラウンド及びパークゴルフのクラブのグリップエンドに半月状の球収納部を設けた球拾い上げ用具である。
【発明の詳細な説明】
【技術分野】
【０００１】  この発明はクラブのグリップエンドに設け、球を拾い上げる用具に関するものである。
【背景技術】
【０００２】  従来、泥砂、水濡れ、腰膝痛等時に難があった。
【先行技術文献】
【特許文献】
【０００３】
【特許文献１】
【発明の概要】
【発明が解決しようとする課題】
【０００４】  次の様な欠点があった。
（１）使用姿勢の体への負担
（２）泥、砂、水濡れ、汚れ時のトラブル
以上のようなトラブル解消のため発明がなされた。
【課題を解決するための手段】
【０００５】  半月状の球収納部（１）に帯状のグルップ装着部（２）、固定ネジピン（３）の構成である。
【発明の効果】
【０００６】  用具がクラブと一体なので平地やホールカップ内等の汚れ球も身体に負担なく、移動時にはボールホルダーとして使用出来る。
【図面の簡単な説明】
【０００７】
【図１】本発明の斜視図である。
【図２】本発明の断面図である。
【発明を実施するための形態】
【０００８】  半月状の球収納部（１）に帯状のマジックテープ付きのグリップ装着部（２）を設け、予備のネジピン（３）で中央から差し込んで固定する。これでクラブと用具が一体となるのでトラブル解消出来る。
【符号の説明】
【０００９】  １  半月状球収納部
２  グリップ装着部
３  固定用ネジピン
４  クラブグリップ
【図１】
2017035419.tif 000003
【図２】
2017035419.tif 000004
(57)【要約】      （修正有）【課題】ゆっくりと起き上がり、マーカー本体基盤がぶれることなくホール側より見たマーカーが起き上がって立体になるようにしたマーカーを提供する。【解決手段】ホール側から見えるメインマーカー２と自分から見える薄く小さいマーカー３を用意し、小さいマーカー３を下にしてその上にホールから見えるメインマーカー２が折り重なるように設置して、観音開きになるようにそれぞれのマーカーの前後の端に蝶番５と蝶番７を付け、蝶番もゴルフマーカー基盤１の内側に内蔵して、マーカー基盤１は円形ではみ出るものが無いようにして、自分から見えるマーカー３の下に動力源である低反発素材４を置き、小さいマーカー３が起き上がると小さいマーカー３の蝶番５の反対側の先に取り付けてあるローラー８がスムーズにメインマーカー２を起こし、４５度くらいまで起き上がって止まるように設定し、メインマーカー２が立体になるようにして使用する。【選択図】図１
2017035501.tif 000002
【特許請求の範囲】
【請求項１】
ゴルフマーカーの円形の基盤の中にホール側から見えるメインマーカーと自分側から見える小さめのマーカー二枚を設け、小さいマーカーとメインマーカーがマーカー基盤の中で上下に重なるように配置し、小さいマーカーには自分から見て手前にメインのマーカーにはホール側の方にそれぞれのマーカーの端に蝶番を付けマーカー基盤と繋ぎ、ゴルフマーカー基盤の底と自分側から見える下に置いてある小さいマーカーとの間に低反発素材を内蔵して、その低反発素材を動力源として、小さいマーカーが起きて、小さいマーカーの先に付けてあるローラーがメインのマーカーを下からスムーズに押し上げて、メインのマーカーがホール側にゆっくりと起きて、互いのマーカーが４５度ぐらいの半観音開き状になり、立体になるようにしたことを特徴とするゴルフマーカー。
【発明の詳細な説明】
【技術分野】
【０００１】本発明は、ゴルフマーカー基盤の中にホール側から見えるマーカーと自分側から見えるマーカーが互いにゆっくりと起き上がり立体になり自分のボールの位置を見易くしてくれるゴルフマーカーに関するものである。
【背景技術】
【０００２】従来、ゴルフマーカーは百円玉と同じように平面のものが一般的であり、起き上がるマーカーもあるようだが、置いたときにバネ仕掛けで一気に上がるタイプのものしかありませんでした。
【発明の概要】
【発明が解決しようとする課題】
【０００３】私たちアマチュアーゴルファーは、グリーンにＯＮしたとしてもホールに寄らず遠いところからのパターが多く、マーカーを置いても位置を確認しづらいことが多々あるので、立体になるマーカーにして位置確認をしやすくすることを目的とする。
【課題を解決するための手段】
【０００４】上記目的を達成するため、本発明は、ゴルフマーカーの円形の基盤の中にホール側から見えるメインマーカーと自分側から見える小さめのマーカー二枚を設け、小さいマーカーとメインマーカーがマーカー基盤の中で重なるように設置して、それぞれの端に蝶番を付け、ゴルフマーカー基盤と繋げ、マーカー基盤の底と自分側から見える小さいマーカーとの間に低反発素材を内蔵して、その低反発素材を動力源として、小さいマーカーが起きて、更にメインのマーカーを押し上げてメインのマーカーがゆっくりと起きて、互いのマーカーが観音開きの途中状態になり、メインのマーカーを４５度ぐらいの角度まで起きるように立体になるようにして、遠くからでも見易くなるようにしたゴルフマーカーである。
【発明の効果】
【０００５】本発明のゴルフマーカーは、ホールより遠い所の位置にあるマーカーを立体にしてくれるので見易くしてくれて、マークをしてからゆっくりと立体になり、マーカー基盤の中にメインのマーカーと小さいマーカーが内蔵されているため、マーカー基盤の本体がぶれることなくメインのマーカーが起き上がり、ホールから近い時にはロックを掛けて百円玉と同じように通常のマーカーとして使用できるものである。
【図面の簡単な説明】
【０００６】
【図１】本発明のゴルフマーカーの上からの斜視図である。
【発明を実施するための形態】
【０００７】本発明の実施形態について図面を参照して説明する。図１において、ゴルフマーカーの基盤１となる円形の台を用意し、その基盤の中は二つのマーカーがすっぽり入るように抉られていて、ホール側から見えるメインマーカー２と自分から見える薄く小さいマーカー３を用意し、小さいマーカー３を下にしてその上にホールから見えるメインマーカー２が折り重なるように設置して観音開きになるようにそれぞれのマーカーの前後の端に蝶番３と蝶番４を付け、その蝶番もゴルフマーカー基盤の内側に内蔵して、マーカー基盤は円形ではみ出るものが無いようにして円形を保ち、自分から見えるマーカー３の下に動力源である低反発素材４を置き、小さいマーカー２が起き上がると小さいマーカー２の蝶番４と反対側の先に取り付けてあるローラー８がスムーズにメインマーカー起こし、４５度くらいまで起き上がって止まるように設定し、マーカーが立体になるようにして使用するものであり、またロック機構９を使い百円玉と同じように通常のマーカーとして使用できるものである。
【符号の説明】
【００８】  １  マーカー基盤
２  ホール側から見た起き上がるメインマーカー
３  自分から見た起き上がる少し小さいマーカー
４  マーカーをゆっくり持ち上げる低反発素材
５  マーカー基盤と小さいマーカーを繋げる蝶番
６  小さいマーカーと蝶番を繋げる板
７  メインマーカーとマーカー基盤を繋ぐ蝶番
８  起き上がる小さいマーカーのローラー
９  スライド式のロック機構
１０  メインマーカーの回転線
１１  小さいマーカーの回転線
【図１】
2017035501.tif 000003
(57)【要約】      （修正有）【課題】３Ｄプリンタ非常に多くの描画パスがあり、描画最初のパス部分は、冷却されて固まっている。その上に、樹脂を溶融させても、冷却度合いの大きい部分は、接着強度が低くなっている。また、強度は、下層の温度に依存するため、場所により、接着強度が異なる問題点を解決する手段の提供。【解決手段】溶融ノズル１の移動方向の直前に光加熱部６を設ける。それは、レーザ光源５などを用い、レーザ光５．１などで加熱する方法。溶融樹脂を積層する直前の下層３を半溶融状態に加熱６して、溶融積層樹脂２と下層３の接着性を向上させ、造形物の強度を向上させる方法。これは、加熱を積層する直前に行うため、積層する場所によるばらつきも減らすことができ、下層３との接着性と融合性が向上するために、層間の表面形状精度も向上する。【選択図】図２
2017035865.tif 000002
【特許請求の範囲】
【請求項１】
新しい層を積層直前に、光源などの加熱源により、下の層を加熱することにより、下の層を半溶融状態にすることを特徴とする。
【発明の詳細な説明】
【技術分野】
【０００１】本発明は，３次元プリンタにおける加熱アシスト造形法に関する．
【背景技術】
【０００２】従来の３Ｄプリンタにおいて、特に融解積層法では、１層を積層すると、その樹脂の表面は冷却されてしまい、その上に、新たな、溶融層を積層しても、接着が悪く、最悪の場合は、層間で簡単に剥離してしまう問題があった。また、冷えた上に樹脂が積層されると、積層表面も粗さが大きく、形状精度悪化や美的な形状造形を損なうなどの問題点もあった。
【先行技術文献】
【特許文献】
【０００３】
【特許文献１】光アシストパターン形成方法および装置、特開平９−３０６８７６  入射光は光ファイバーの先端部においてエバネッセント光波が発生する。チャンバーにはガス貯蔵ボンベからエッチングガスまたは堆積原料ガスが導入され、ガスは光ファイバーの中空部を通って先端部まで輸送され、エバネッセント光波照射位置にてエッチングまたは膜堆積を起こらせる。ガス反応を光でアシストする方法のために、溶融樹脂を接着する本手法とは、根本原理が異なる。
【特許文献２】多段階段状素子の作製方法又は該素子作製用モールド型の作製方法，特開平１１−１６０５１０多段階段状素子の作製方法又は該素子作製用モールド型の作製方法であり、本提案とは異なる．
【特許文献３】半導体装置の製造方法，特開平６−３７１１７光アシストエッチングのため、作動原理が異なる．
【特許文献４】３次元プリンタ特評２０１３−５０７２７５この方法は、造形前のグリーン材を加熱する方法であり、本手法に、造形部材を加熱する方法とは原理が異なる。
【発明の概要】
【発明が解決しようとする課題】
【０００４】３Ｄプリンタにおいては、１層の形状を輪切りにして、さらにその領域を、樹脂吐出ノズル径で塗りつぶしができるように、経路を細分化している。そのために、非常に多くの描画パスがあり、描画最初のパス部分は、冷却されて固まっている。その上に、樹脂を溶融させても、冷却度合いの大きい部分は、接着強度が低くなっている。また、強度は、下層の温度に依存するため、場所により、接着強度が異なる問題点があった。また、冷却した下層とは、溶融部が合わさらないことにより、表面形状精度が悪化する問題点もあった。図１は、その状況を示す。ノズル（１）から出た溶融樹脂は、新しい層（２）を形成する。しかし、冷えた下の層（３）とは、融合しない。【０００５】本発明では、積層直前に、光源により、下層を加熱することにより、半溶融状態にすることにより、積層する溶融部と下層の接着強度を向上させることができる。また、下層と合わさることにより、表面精度も向上する。
【課題を解決するための手段】
【０００６】本発明は上記目的を達成するために，図２に示すように、溶融ノズルの移動方向の直前に光加熱部を設ける。それは、レーザ光源（５）などを用い、レーザ光（５．１）などで加熱する。そのことにより、溶融樹脂を積層する直前の下層を半溶融状態に加熱（６）して、溶融積層樹脂と下層の接着性を向上させ、造形物の強度を向上させる。これは、加熱は積層する直前に行うため、積層する場所によるばらつきも減らすことができる。また、下層との接着性と融合性が向上するために、層間の表面形状精度も向上する。
【発明の効果】
【０００７】溶融樹脂を積層する直前の下層を半溶融状態に加熱して、溶融積層樹脂と下層の接着性を向上させ、造形物の強度を向上させる。これは、加熱は積層する直前に行うため、積層する場所によるばらつきも減らすことができる。また、下層との接着性と融合性が向上するために、層間の表面形状精度も向上する。
【図面の簡単な説明】
【０００８】
【図１】ノズル（１）から出た溶融樹脂は、新しい層（２）を形成する。しかし、冷えた下の層（３）とは、融合しない。
【図２】溶融ノズルの移動方向の直前に光加熱部を設ける。それは、レーザ光源（５）などを用い、レーザ光（５．１）などで加熱する。そのことにより、溶融樹脂を積層する直前の下層を半溶融状態に加熱（６）して、溶融積層樹脂と下層の接着性を向上させ、造形物の強度を向上させる。
【発明を実施するための形態】
【０００９】加熱は、上方法、横方向、前方向から行うことができる。
【００１０】加熱方法はレーザ、ランプ、電子ビームが、使用可能である。
【００１１】光加熱の場合は、光源より光ファイバーにより、ノズル先端に導くことができる。任意の位置を加熱するために、回転ミラーなどを用いて３６０度回転できるようにする。また、ガルバノミラーにより、上部から任意の位置を加熱することも可能である。
【実施例】
【００１２】１００ｍｗ出力、波長５３２ｎｍレーザを用いて、３Ｄプリンタのノズル前に、光ファイバーによりレーザ光を導き、レンズにより、樹脂吐出前に下の層を集光加熱した。その結果、１０％以上の強度や表面粗さの向上が行えた。
【産業上の利用可能性】
【００１３】一般の溶融型の３Ｄプリンタに適用可能である。【００１４】上記の提案は、粉末を積層する場合にも適用可能である。
【符号の説明】
【００１５】１：ノズル
２：新しい層
３：下の層（積層済みの層）
５：レーザ光源
５．１：レーザ光
６：加熱領域
【図１】
2017035865.tif 000003
【図２】
2017035865.tif 000004